(57)【要約】【課題】巻替機におけるミシン目付けにおいて、回転間欠刃と下刃ローラの接触をなくして速度による調整を不要ならしめると共に、部品の長寿命化をはかり作業環境を改善する。【解決手段】ラップフィルム等の帯状物の巻替機において、巻出部と巻取部の間に配設され、帯状物を巻取りながら、これに所定のミシン目を付与するミシン目付装置を軸平行に配設された回転間欠刃４と溝付き下刃ローラ３によって形成し、回転間欠刃４と、下刃ローラ３の溝３ａを互いに同期して回転させて、回転間欠刃４の刃先が回転に伴って下刃ローラ３の溝３ａの中に入り込み帯状物にミシン目を付与するように構成した。【選択図】          図３
2004330335.tif 000002
【特許請求の範囲】
【請求項１】
ラップフィルム等の帯状物の巻替機において、巻出部と巻取部の間に配設され、帯状物を巻取りながら、これに所定のミシン目を付与するミシン目付装置であって、軸平行に配設された回転間欠刃と溝付下刃ローラからなり、回転間欠刃と、下刃ローラの溝は互いに同期して回転し、回転間欠刃の刃先が回転に伴って下刃ローラの溝の中に入り、両者互いに接触することなしに帯状物にミシン目を付与するようになっていることを特徴とする帯状物のミシン目付装置。
【請求項２】
回転間欠刃は軸方向に一直線上に並んだ多数の鋭角な刃先よりなり、下刃ローラの溝は軸方向に凹設された連続溝である請求項１記載の帯状物のミシン目付装置。
【発明の詳細な説明】
【０００１】
【発明の属する技術分野】
本発明はラップフィルム，アルミホイル，クッキングペーパー等の薄膜帯状物（以下、単に帯状物という）の巻替機において巻出部と巻取部の間に配設され、所定ピッチでミシン目を付与するミシン目付装置に関するものである。
【０００２】
【従来の技術】
ラップフィルム等の帯状物の巻替機において、巻出部と巻取部の間にミシン目付装置を配設し、ラップフィルム等の帯状物を１０ｍ，２０ｍ等の定長で巻き取りながらミシン目を付与する装置は従来より公知であり、ミシン目付与装置として下刃ローラに相当するゴムローラに間欠回転刃を圧接させ、等間隔にミシン目を付与する装置が利用されている。（例えば特許文献１参照）
【０００３】
【特許文献１】
特開平４−２９６２号公報
【０００４】
【発明が解決しようとする課題】
しかし、上記ゴムローラに間欠回転刃を圧接してミシン目を付与するときは、運転速度が変わることによりミシン目の加工状態が変わり、従って速度に応じた調整が必要であり、運転速度にも限界が合った。
また、ゴムローラと間欠回転刃の圧接により両者の寿命も短命であるのみならず、下刃ローラに相当するゴムローラの摩擦粉が被加工物の帯状物に混入する恐れがあったり、ゴムローラと間欠回転はの圧接により騒音が発生し、作業環境上、問題を有していた。
【０００５】
本発明は上述の如き実状に鑑み、それら各問題を解消すべく、特に間欠回転刃と溝付き下刃ローラの接触をなくし、無接触とすることを見出すことにより、速度による調整を不要ならしめると共に部品の長寿命化をはかり、騒音や摩耗粉も発生せず、作業環境を改善せしめることを目的とするものである。
【０００６】
【課題を解決するための手段】
上記目的を達成するため、本発明は、ラップフィルム等の帯状物の巻替機において、巻出部と巻取部の間に配設され、帯状物を巻取りながら、これに所定のミシン目を付与するミシン目付装置を軸平行に配設された回転間欠刃と溝付下刃ローラによって形成し、回転間欠刃と下刃ローラの溝を互いに同期して回転させて回転間欠刃の刃先が回転に伴って下刃ローラの溝の中に入り、両者接触することなしに帯状物にミシン目を付与するように構成した。
なお、間欠刃は軸方向一直線上に並んだ多数の鋭角な刃先で形成し、下刃ローラの溝は軸方向に凹設された連続溝とすることが最も一般的である。
【０００７】
【作用】
本発明によれば、巻出部から送り出されるラップフィルムなどの帯状物を巻芯供給部を経て巻取り巻替え部に送り、該部で巻取りドラムの周面に圧接し、従回転する巻芯に巻き付かせるが、その途中のミシン目付装置において回転間欠刃の刃先が回転に伴って下刃ローラの溝の中に入り込み接触することなく帯状物に所定ピッチでミシン目を付与する。
特に回転間欠刃が下刃ローラに接触することなしにミシン目付加工が可能であることは本発明の重要な作用態様である。
【０００８】
【発明の実施の形態】
以下、更に添付図面を参照し、本発明の具体的な実施態様を説明する。
【０００９】
図１は本発明に係るミシン目付装置Ａを配設した巻替機の基本構成を示し、フレームＦに設置されたラップフィルムの如き長尺帯状物を巻着してなる原反ロールＲより巻出ローラ１を介して帯状物を巻き戻し、ガイドロール２，ミシン目付装置Ａ，案内装置５を経て巻取ドラム８に至り、巻取ドラム８の表面には巻芯供給部６，巻取り巻替部７及び放出部を兼ねる満巻取り部９が回転方向に所定の角ピッチで設けられており、さらに巻取り巻替部７と満巻取り部９との間に、図示していないが切断巻付装置が設けられていてミシン目入れと定長巻取り巻替えが行われる。
【００１０】
図２及び図３は上記構成において本発明の重要な特徴をなすミシン目付装置の詳細であり、両端が軸受１３，１４に支持されて互いに軸１１，１２平行に下刃ローラ３と、回転間欠刃４が配設されており、これら下刃ローラ３及び回転間欠刃４は駆動プーリ１８より駆動ギヤ１６，１５を介して回転が伝達され、同期して回転するようになっている。
図中、１７は回転間欠刃の位相調整部である。
【００１１】
回転間欠刃４は軸方向一直線上に並んだ鋭角な多数の刃先を有しており、一方、下刃ローラ３は前記間欠刃４の刃先を受け入れる軸方向に延在する溝３ａを有していて、前記下刃ローラ３及び回転間欠刃４の同期回転に伴って間欠刃の一直線上に並んだ刃先が下刃ローラ３の溝の中に入り込み、その間を通る帯状物を１０ｍ，２０ｍ等の定長で巻取りながら、これに所定ピッチで、可及的、等間隔にミシン目を付与する。
【００１２】
図４（イ）（ロ）（ハ）はミシン目付与時の上記の間欠刃４と下刃ローラ３の溝３ａとの対応状況を示したもので、間欠刃４の回転に伴って間欠刃４が下刃ローラ３の溝３ａの中に入り込み、鋭角をなす間欠刃４の尖端で帯状物にミシン目を付与する態様が示されている。
このとき、図示の如く回転間欠刃４の刃先は下刃ローラ３の溝の中に入り込んで両者は接触することはなく、即ち、図示のように無接触状態にあることは本発明の重要な特徴であり、これによって後述する如く種々の効果が得られる。
【００１３】
なお、間欠刃４の刃先形状，下刃ローラ３の溝３の形状は図示構造に拘束されるものではなく、要は両者は無接触状態でミシン加工を行う目的を逸脱しない限りにおいて適宜、設計変更可能であることは勿論である。
【００１４】
本発明ミシン目付装置は特にラップフィルム，アルミホイル，クッキングペーパー等の薄膜帯状物の巻替機に用いられる。
【００１５】
【発明の効果】
本発明は以上のように巻替機の巻出部と巻取部の間に配設されるミシン目付装置において、回転間欠刃と下刃ローラを軸平行に配設して、これら間欠刃と下刃ローラを同期的に回転させて一直線上に並んだ間欠刃の刃先を回転に伴って下刃ローラの溝の中に接触することなく入れ込み、帯状物にミシン目を付与するようにしたものであり、間欠刃と下刃ローラが接触しないため速度によるミシン目の加工状態に変化がなく、速度に応じた調整が不要となると共に、従来、運転速度が３００ｍ／ｍｉｎ程度を限界としていたのを２倍以上の速度での運転を可能とし、また圧接による損傷がないため、部品の長寿命化が実現する顕著な効果を有している。
また、上記の如く間欠刃と下刃ローラの接触がないことから、摩耗粉発生の恐れもなく、圧接による騒音も発生せず、作業環境の改善に頗る実効が期待される。
【図面の簡単な説明】
【図１】本発明に係るミシン目付装置を装備する巻替機の全体を示す概要図である。
【図２】要部をなすミシン目付装置の正面概要図である。
【図３】間欠刃及び下刃ローラの断面概要図である。
【図４】図４（イ），（ロ），（ハ）は間欠刃と下刃ローラの入り込み状態を示す作用説明図で、（イ）は入り込む直前、（ロ）は入り込んだ状態、（ハ）は離れてゆく状態である。
【符号の説明】
Ａ  ミシン目付装置
３  下刃ローラ
３ａ  溝
４  回転間欠刃
１１  下刃ローラ軸
１２  回転間欠軸
【図１】
2004330335.tif 000003
【図２】
2004330335.tif 000004
【図３】
2004330335.tif 000005
【図４】
2004330335.tif 000006